(57)【要約】【課題】複数の空間の一つに選択的に流体を供給したりすることができて、その上、小型化できる切換ユニットおよびこれを備えた加湿ユニットを提供する。【解決手段】上側ダンパケース１０１と下側ダンパケース１０４との間にはダンパ本体１０２が回転可能に配置されている。ダンパ本体１０２は、第２，第３上側貫通孔１０７ｂ，１０７ｃと第１，第２下側貫通孔１１０ａ，１１０ｂとを連通可能な本体用貫通孔１０８と、第２，第３上側貫通孔１０７ｂ，１０７ｃと第１，第２下側貫通孔１１０ａ，１１０ｂとの間を閉鎖可能な第１下側閉鎖突起と、第２，第３上側貫通孔１０７ｂ，１０７ｃと第１，第２下側貫通孔１１０ａ，１１０ｂとの間を閉鎖可能な第２下側閉鎖突起１２４ｂとを有して、第２，第３上側貫通孔１０７ｂ，１０７ｃと第１，第２下側貫通孔１１０ａ，１１０ｂとの接続を切り換える。【選択図】図７Ａ
2010144971.tif 000002
【特許請求の範囲】
【請求項１】
流体が流入する少なくとも１つの入口(１０７ｂ，１０７ｃ)と、上記流体が流出する複数の出口(１１０ａ，１１０ｂ，２１０ａ，２１０ｂ)とを有するケーシング(１０１，１０４，２０４)と、
上記ケーシング(１０１，１０４，２０４)内に配置されていると共に、少なくとも１つの上記入口(１０７ｂ，１０７ｃ)と少なくとも１つの上記出口(１１０ａ，１１０ｂ，２１０ａ，２１０ｂ)とを連通可能な貫通孔(１０８，２０８)と、少なくとも１つの上記入口(１０７ｂ，１０７ｃ)と少なくとも１つの上記出口(１１０ａ，１１０ｂ，２１０ａ，２１０ｂ)との間を閉鎖可能な閉鎖部(１２４ａ，１２４ｂ)とを有して、少なくとも１つの上記入口(１０７ｂ，１０７ｃ)と少なくとも１つの上記出口(１１０ａ，１１０ｂ，２１０ａ，２１０ｂ)との接続を切り換える回転可能な板状弁体(１０２，２０２)と、
上記板状弁体(１０２，２０２)を回転駆動する駆動装置(１０５)と
を備えたことを特徴とする切換ユニット。
【請求項２】
請求項１に記載の切換ユニットにおいて、
上記出口(１１０ａ，１１０ｂ)近傍には弁座部(１２６ａ，１２６ｂ)が設けられており、
上記板状弁体(１０２)の上記閉鎖部(１２４ａ，１２４ｂ)は上記弁座部(１２６ａ，１２６ｂ)に静圧で押し付けられることを特徴とする切換ユニット。
【請求項３】
請求項２に記載の切換ユニットにおいて、
上記弁座部(１２６ａ，１２６ｂ)は、上記出口(１１０ａ，１１０ｂ)の周縁部に設けられた環状突起(１２６ａ，１２６ｂ)であり、
上記閉鎖部(１２４ａ，１２４ｂ)は、上記板状弁体(１０２)の上記出口(１１０ａ，１１０ｂ)側の表面に設けられ、上記環状突起(１２６ａ，１２６ｂ)に密接可能な出口側閉鎖突起(１２４ａ，１２４ｂ)を含むことを特徴とする切換ユニット。
【請求項４】
請求項３に記載の切換ユニットにおいて、
上記ケーシング(１０１，１０４)は、上記板状弁体(１０２)の回転の際に、上記出口側閉鎖突起(１２４ａ，１２４ｂ)を上記複数の出口(１１０ａ，１１０ｂ)の一つから上記複数の出口(１１０ａ，１１０ｂ)の他の一つへ案内する案内部(１２７ａ，１２７ｂ)を有することを特徴とする切換ユニット。
【請求項５】
請求項３または４に記載の切換ユニットにおいて、
上記出口側閉鎖突起(１２４ａ，１２４ｂ)は、径方向の長さよりも周方向の長さが長くなっていることを特徴とする切換ユニット。
【請求項６】
請求項３から５までのいずれか一項に記載の切換ユニットにおいて、
上記出口側閉鎖突起(１２４ａ，１２４ｂ)の上記出口(１１０ａ，１１０ｂ)側の表面は湾曲面を含むことを特徴とする切換ユニット。
【請求項７】
請求項２から６までのいずれか一項に記載の切換ユニットにおいて、
上記板状弁体(１０２)の上記入口(１０７ｂ，１０７ｃ)側の表面には、上記流体による流体圧を受ける受圧面(１１８)が設けられていることを特徴とする切換ユニット。
【請求項８】
請求項１から７までのいずれか一項に記載の切換ユニットにおいて、
上記板状弁体(１０２)の上記入口(１０７ｂ，１０７ｃ)側の表面には、上記入口(１０７ｂ，１０７ｃ)を閉鎖可能な入口側閉鎖突起(１１９ａ，１１９ｂ)が設けられていることを特徴とする切換ユニット。
【請求項９】
請求項１に記載の切換ユニットにおいて、
上記板状弁体(２０２)の上記出口(２１０ａ，２１０ｂ)側の表面には、
出没可能な可動弁部(２５１ａ，２５１ｂ)と、
この可動弁部(２５１ａ，２５１ｂ)を突出する方向に付勢するバネ(２５２ａ，２５２ｂ)と
が取り付けられ、
上記可動弁部(２５１ａ，２５１ｂ)は、上記出口(２１０ａ，２１０ｂ)の周縁部に上記バネ(２５２ａ，２５２ｂ)の付勢力で押し付けられ、上記出口(２１０ａ，２１０ｂ)を閉鎖可能であることを特徴とする切換ユニット。
【請求項１０】
請求項９に記載の切換ユニットにおいて、
上記可動弁部(２５１ａ，２５１ｂ)の上記出口(２１０ａ，２１０ｂ)側の表面は湾曲面を含むことを特徴とする切換ユニット。
【請求項１１】
請求項１から１０までのいずれか一項に記載の切換ユニット(１００，２００)と、
上記板状弁体(１０２，２０２)と略平行に配置された板状の加湿ロータ(５１)を有する加湿ユニット本体(６)と
を備えたことを特徴とする加湿ユニット。
【請求項１２】
請求項１１に記載の加湿ユニットにおいて、
上記切換ユニット(１００，２００)の上記ケーシング(１０１，１０４，２０４)の上記入口(１０７ｂ，１０７ｃ)に流入する流体は、上記加湿ロータ(５１)によって加湿された加湿空気であることを特徴とする加湿ユニット。
【請求項１３】
請求項１から１０までのいずれか一項に記載の切換ユニット(１００，２００)、または、請求項１１または１２に記載の加湿ユニットを備えたことを特徴とする空気調和機。
【発明の詳細な説明】
【技術分野】
【０００１】
本発明は切換ユニット、加湿ユニットおよび空気調和機に関する。
【背景技術】
【０００２】
従来、加湿ユニットとしては、特開２００６−１０３０７号公報に記載されたものが知られている。
【０００３】
この加湿ユニットは、回転可能に配置された吸着材と、この吸着材を回転駆動する駆動手段と、屋外の空気を室内に供給する給気路と、室内の空気を屋外へ排出する排気路とを備えている。
【０００４】
上記吸着材は空気中の水分を吸着できるものであって、一部が吸気路に面し、かつ、他の一部が排気路に面している。
【０００５】
上記吸気路内において吸着材の上流側には加熱手段が設置されている。一方、上記排気路内において吸着材の上流側には冷却手段が配置されている。
【０００６】
上記構成の加湿ユニットによれば、加湿運転時、駆動手段が吸着材を回転駆動する。そして、上記排気路を流れる空気が、冷却手段で冷却されて相対湿度が上がった状態で、排気路に面する吸着材の一部を通過して、その吸着材の一部が空気中の水分を吸着する。そして、上記空気の水分が吸収された一部は、吸着材の回転に伴って、吸気路に面する。このとき、上記加熱手段で加熱されて高温となった空気が、吸気路に面する吸着材の一部を通過し、その一部から水分を奪って加湿空気となって室内に流入する。
【０００７】
しかしながら、上記従来の加湿ユニットでは、複数の部屋の一つに選択的に加湿空気を供給することができないという問題がある。
【特許文献１】特開２００６−１０３０７号公報（図１）
【発明の開示】
【発明が解決しようとする課題】
【０００８】
そこで、本発明の課題は、複数の空間の一つに選択的に流体を供給したりすることができて、その上、小型化できる切換ユニットおよびこれを備えた加湿ユニットを提供することにある。
【０００９】
また、本発明の他の課題は、上記切換ユニットまたは加湿ユニットを備えた空気調和機を提供することにある。
【課題を解決するための手段】
【００１０】
上記課題を解決するため、本発明の切換ユニットは、
流体が流入する少なくとも１つの入口と、上記流体が流出する複数の出口とを有するケーシングと、
上記ケーシング内に配置されていると共に、少なくとも１つの上記入口と少なくとも１つの上記出口とを連通可能な貫通孔と、少なくとも１つの上記入口と少なくとも１つの上記出口との間を閉鎖可能な閉鎖部とを有して、少なくとも１つの上記入口と少なくとも１つの上記出口との接続を切り換える回転可能な板状弁体と、
上記板状弁体を回転駆動する駆動装置と
を備えたことを特徴としている。
【００１１】
上記構成の切換ユニットにおいて、上記ケーシングの一つの出口と、ケーシングの少なくとも１つの入口とを、板状弁体の貫通孔を介して連通させる。そして、上記ケーシングの少なくとも１つの入口に流体を供給すると、その流体は板状弁体の連通孔を介してケーシングの一つの出口に流れる。これにより、上記出口に連通する一つの空間に流体を供給することができる。
【００１２】
また、上記板状弁体を回転させて、ケーシングの少なくとも１つの入口と、ケーシングの一つの出口との接続を切り換えることにより、複数の出口に連通する複数の空間の一つに選択的に流体を供給することができる。
【００１３】
また、上記板状弁体を回転させて流体の供給の制御を行うので、切替ユニットの回転軸方向の長さが長くならず、切換ユニットを小型化できる。
【００１４】
一実施形態の切換ユニットでは、
上記出口近傍には弁座部が設けられており、
上記板状弁体の上記閉鎖部は上記弁座部に静圧で押し付けられる。
【００１５】
上記実施形態の切換ユニットによれば、上記板状弁体の閉鎖部が出口近傍の弁座部に静圧で押し付けられるので、出口のシール性を向上させることができる。
【００１６】
一実施形態の切換ユニットでは、
上記弁座部は、上記出口の周縁部に設けられた環状突起であり、
上記閉鎖部は、上記板状弁体の上記出口側の表面に設けられ、上記環状突起に密接可能な出口側閉鎖突起を含む。
【００１７】
上記実施形態の切換ユニットによれば、上記閉鎖部は、板状弁体の出口側の表面に設けられ、環状突起に密接可能な出口側閉鎖突起を含むので、出口のシール性をさらに向上させることができる。
【００１８】
一実施形態の切換ユニットでは、
上記ケーシングは、上記板状弁体の回転の際に、上記出口側閉鎖突起を上記複数の出口の一つから上記複数の出口の他の一つへ案内する案内部を有する。
【００１９】
上記実施形態の切換ユニットによれば、上記板状弁体が回転する際、案内部は、出口側閉鎖突起を複数の出口の一つから複数の出口の他の一つへ案内するので、出口側閉鎖突起による環状突起の内側の封鎖を確実に行うことができる。
【００２０】
一実施形態の切換ユニットでは、
上記出口側閉鎖突起は、径方向の長さよりも周方向の長さが長くなっている。
【００２１】
上記実施形態の切換ユニットによれば、上記出口側閉鎖突起は、径方向の長さよりも周方向の長さが長くなっているので、出口側閉鎖突起による環状突起の内側の封鎖を確実に行うことができる。
【００２２】
一実施形態の切換ユニットでは、
上記出口側閉鎖突起の上記出口側の表面は湾曲面を含む。
【００２３】
上記実施形態の切換ユニットによれば、上記出口側閉鎖突起の出口側の表面は湾曲面を含むので、環状突起に対する出口側閉鎖突起の移動が容易になり、出口側閉鎖突起による環状突起の内側の閉鎖を容易に解除することができる。
【００２４】
一実施形態の切換ユニットでは、
上記板状弁体の上記入口側の表面には、上記流体による流体圧を受ける受圧面が設けられている。
【００２５】
上記実施形態の切換ユニットによれば、上記板状弁体の入口側の表面には、流体による流体圧を受ける受圧面が設けられているので、板状弁体を弁座部に強く押し付けることができる。
【００２６】
一実施形態の切換ユニットでは、
上記板状弁体の上記入口側の表面には、上記入口を閉鎖可能な入口側閉鎖突起が設けられている。
【００２７】
上記実施形態の切換ユニットによれば、上記板状弁体の入口側の表面には、入口を閉鎖可能な入口側閉鎖突起が設けられているので、入口のシール性を向上させることができる。
【００２８】
一実施形態の切換ユニットでは、
上記板状弁体の上記出口側の表面には、
出没可能な可動弁部と、
この可動弁部を突出する方向に付勢するバネと
が取り付けられ、
上記可動弁部は、上記出口の周縁部に上記バネの付勢力で押し付けられ、上記出口を閉鎖可能である。
【００２９】
上記実施形態の切換ユニットによれば、上記可動弁部は、出口を閉鎖するとき、出口の周縁部にバネの付勢力で押し付けられるので、出口のシール性を向上させることができる。
【００３０】
一実施形態の切換ユニットでは、
上記可動弁部の上記出口側の表面は湾曲面を含む。
【００３１】
上記実施形態の切換ユニットによれば、上記可動弁部の出口側の表面は湾曲面を含むので、出口に対する可動弁部の移動が容易になり、可動弁部による出口の閉鎖を容易に解除することができる。
【００３２】
本発明の加湿ユニットは、
本発明の切換ユニットと、
上記板状弁体と略平行に配置された板状の加湿ロータを有する加湿ユニット本体と
を備えたことを特徴としている。
【００３３】
上記構成の加湿ユニットによれば、上記加湿ユニットを備えるので、複数の空間の一つに選択的に流体を供給することができて、その上、小型化できる。
【００３４】
また、上記加湿ユニット本体が、板状弁体と略平行に配置された板状の加湿ロータを有するので、さらに小型化できる。
【００３５】
一実施形態の加湿ユニットでは、
上記切換ユニットの上記ケーシングの上記入口に流入する流体は、上記加湿ロータによって加湿された加湿空気である。
【００３６】
上記実施形態の加湿ユニットによれば、上記加湿ロータによって加湿された加湿空気が切換ユニットのケーシングの入口に流入するので、加湿空気の供給先の切り換えを行うことができる。
【００３７】
本発明の空気調和機は、
本発明の切換ユニット、または、本発明の加湿ユニットを備えたことを特徴としている。
【００３８】
上記構成の空気調和機が本発明の切換ユニットを備える場合、複数の空間の一つに選択的に、冷たい空気または暖かい空気等を供給することができる。
【００３９】
また、上記空気調和機が本発明の加湿ユニットを備える場合、複数の空間の一つに選択的に、湿度が高い空気を供給することができる。
【発明の効果】
【００４０】
本発明の切換ユニットによれば、板状弁体が、ケーシングの少なくとも一つの入口と、ケーシングの一つの出口との接続を切り換えることによって、複数の出口に連通する複数の空間の一つに選択的に流体を供給することができる。
【００４１】
また、上記板状弁体を回転させて流体の供給の制御を行うので、切替ユニットの回転軸方向の長さが長くならず、切換ユニットを小型化できる。
【００４２】
本発明の加湿ユニットは、本発明の加湿ユニットを備えるので、複数の空間の一つに選択的に流体を供給することができて、その上、小型化できる。
【００４３】
また、上記加湿ユニット本体が、板状弁体と略平行に配置された板状の加湿ロータを有するので、さらに小型化できる。
【００４４】
本発明の空気調和機は、本発明の切換ユニットを備えるので、複数の空間の一つに選択的に、冷たい空気または暖かい空気等を供給することができる。
【００４５】
また、本発明の空気調和機は、本発明の加湿ユニットを備えるので、複数の空間の一つに選択的に、湿度が高い空気を供給することができる。
【発明を実施するための最良の形態】
【００４６】
以下、本発明の切換ユニットおよび加湿ユニットを図示の実施の形態により詳細に説明する。
【００４７】
［第１実施形態］
図１は本発明の第１実施形態の空気調和機１の構成図である。
【００４８】
上記空気調和機１は、１台の室外機３と、２台の第１，第２室内機２ａ，２ｂとが冷媒配管１３ａ，１３ｂ，１４ａ，１４ｂによって並列に接続されているマルチタイプの空気調和機である。また、この空気調和機１は、冷房運転および暖房運転を含む通常運転、加湿運転、給気運転および排気運転等の運転を行うことができる。また、上記加湿ユニット４と第１，第２室内機２ａ，２ｂとの間には、加湿ユニット４の内部空間と第１，第２室内機２ａ，２ｂの内部空間とを連通させることが可能な吸排気ホース６ａ，６ｂが設けられている。この吸排気ホース６ａ，６ｂは、室外に配置される室外ダクト８ａ，８ｂと、屋内に配置される室内ダクト９ａ，９ｂとから構成されている。
【００４９】
まず、上記第１，第２室内機２ａ，２ｂについて説明する。この第１，第２室内機２ａ，２ｂは共に壁面等に取り付けられる壁掛け型の室内機である。上記第１室内機２ａは第１部屋１ａ内に配置されている一方、第２室内機２ｂは第２部屋１ｂ内に配置されている。そして、上記第１室内機２ａ内には、第１室内熱交換器１１ａと、この第１室内熱交換器１１ａに対向する第１室内ファン１２ａとが収容されている。また、上記第２室内機２ｂ内には、第１室内機２ａ内と同様に、第２室内熱交換器１１ｂと、この第２室内熱交換器１１ｂに対向する第２室内ファン１２ｂとが収容されている。
【００５０】
上記第１，第２室内熱交換器１１ａ，１１ｂは、長手方向両端で複数回折り返されてなる伝熱管と、この伝熱管が挿通された複数のフィンとからなり、接触する空気との間で熱交換を行う。
【００５１】
上記第１，第２室内ファン１２ａ，１２ｂは、円筒形状に構成され、周面には回転軸方向に延びる羽根が設けられている。この第１，第２室内ファン１２ａ，１２ｂは、回転駆動することによって、回転軸と交わる方向の空気流を生成する。そして、上記第１室内ファン１２ａ，１２ｂは、第１，第２部屋１ａ，１ｂ内の空気を第１，第２室内機２ａ，２ｂ内に吸い込むと共に、第１，第２室内熱交換器１１ａ，１１ｂとの間で熱交換を行った後の空気を第１，第２部屋１ａ内に吹き出す。
【００５２】
また、上記第１，第２室内機２ａ，２ｂ内には、室内ダクト９ａ，９ｂの一部が配置されている。室内ダクト９ａ，９ｂには開口が設けられており、この開口は第１，第２室内熱交換器１１ａ，１１ｂの表面と対向する位置に配置されている。具体的な開口の位置とは、第１，第２室内ファン１２ａ，１２ｂが回転して空気流が生成されている状態で、第１，第２室内機２ａ，２ｂの上部に設けられている空気取込口の下流側であり、かつ、第１，第２室内熱交換器１１ａ，１１ｂの上流側である。
【００５３】
次に、上記室外機３について説明する。この室外機３は、下部の室外空調ユニット５と、上部の加湿ユニット４とを具備する。このため、上記室外機３では、室外空調ユニット５と加湿ユニット４との電源を一元化することができる。
【００５４】
上記室外空調ユニット５は室外機ケーシング４３を備える。この室外機ケーシング４３内には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂと、室外熱交換器２４に対向する室外ファン２９とが収容されている。
【００５５】
上記室外膨張弁２５ａ，２５ｂは、フィルタ２６ａ，２６ｂおよび液閉鎖弁２７ａ，２７ｂを介して冷媒配管１３ａ，１３ｂに接続されており、この冷媒配管１３ａ，１３ｂを介して室内熱交換器１１ａ，１１ｂの一端に接続されている。
【００５６】
上記四路切換弁２２は、ガス閉鎖弁２８ａ，２８ｂを介して冷媒配管１４ａ，１４ｂに接続されており、この冷媒配管１４ａ，１４ｂを介して室内熱交換器１１ａ，１１ｂの他端に接続されている。
【００５７】
次に、上記加湿ユニット４について説明する。この加湿ユニット４は加湿ユニットケーシング７を備える。この加湿ユニットケーシング７内には、加湿ユニット本体６と、空気流路切換装置１００とが設置されている。なお、上記空気流路切換装置１００は切換ユニットの一例である。
【００５８】
上記加湿ユニットケーシング７の前面には、複数のスリット状の開口からなる吸着用空気吹き出し口７ａが設けられている。この吸着用空気吹き出し口７ａは、吸着用送風装置５５からの空気を加湿ユニットケーシング７外に排出するための開口である。
【００５９】
また、上記加湿ユニットケーシング７の後面には、吸着用空気取込口７ｂおよび吸排気口７ｃが設けられている。上記吸着用空気取込口７ｂは、加湿ロータ５１に水分を吸着させるために室外から加湿ユニットケーシング７内に取り込まれる空気が通る開口である。一方、上記吸排気口７ｃは、吸気運転および加湿運転時に、室外から加湿ユニットケーシング７内に取り込まれて室内機２ａ，２ｂに送られる空気が通る開口である。また、上記吸排気口７ｃは、排気運転時に、室内機２ａ，２ｂから加湿ユニットケーシング７内に取り込まれて室外へと排気される空気が通る開口である。
【００６０】
上記加湿ユニット本体６は、加湿ロータ５１、加熱装置５２、加湿ファン装置５４および吸着用送風装置５５を有する。
【００６１】
上記加湿ロータ５１は、ハニカム構造のセラミックロータであり、略円板状を呈する。また、上記加湿ロータ５１は、回転可能に設けられており、図示しないロータ駆動用モータによって回転駆動される。さらに、上記加湿ロータ５１の主たる部分は、ゼオライト等の吸着剤から焼成されている。このゼオライト等の吸着剤は、接触する空気中の水分を吸着すると共に、吸着した水分を加熱されることによって脱着するという性質を有している。なお、本実施形態では、吸着剤としてゼオライトを用いているが、シリカゲルやアルミナ等を吸着剤として用いることも可能である。
【００６２】
上記加熱装置５２は、加湿ロータ５１の上方に位置しており、加湿ロータ５１に対向して配置されている。また、上記加熱装置５２は、加湿ロータ５１へ送られる空気を加熱することにより、加湿ロータ５１を加熱することができる。
【００６３】
上記加湿ファン装置５４は、加湿ロータ５１の側方に配置されており、室外から取り込まれて室内機２ａ，２ｂへと送られる空気の流れを生成するラジカルファン組立体である。また、上記加湿ファン装置５４は、吸排気口７ｃから加湿ロータ５１を経て第１，第２部屋１ａ，１ｂ内へと到る空気の流れを生成して、室外から取り入れた空気を室内機２ａ，２ｂへと送る。また、上記加湿ファン装置５４は、室内機２ａ，２ｂから取り入れた第１，第２部屋１ａ，１ｂ内の空気を室外へと排出することもできる。
【００６４】
また、上記加湿ファン装置５４は、室外から取り入れた空気を室内機２ａ，２ｂへと送る場合には、加湿ロータ５１のうちの加熱装置５２と対向する部分を通過した空気を、空気流路切換装置１００および吸排気ホース６ａ，６ｂを介して室内機２ａ，２ｂへ送る。このとき、上記吸排気ホース６ａ，６ｂ内において、空気が矢印Ａ１方向に流れる。
【００６５】
また、上記加湿ファン装置５４は、室内機２ａ，２ｂから取り入れた第１，第２部屋１ａ，１ｂ内の空気を室外へと排出する場合には、吸排気ホース６ａ，６ｂを通ってきた第１，第２部屋１ａ，１ｂ内の空気を吸排気口７ｃから室外へと排出する。このとき、上記吸排気ホース６ａ，６ｂ内において、空気がＡ２方向に流れる。
【００６６】
上記空気流路切換装置１００は吸排気ホース６ａ，６ｂに接続されており、加湿ファン装置５４からの空気を吸排気ホース６ａ，６ｂの一方に供給したりすることができる。また、上記空気流路切換装置１００は、加湿ファン装置５４と吸排気ホース６ａ，６ｂとの間の空気の流通を停止させることもできる。すなわち、上記加湿ファン装置５４からの空気が吸排気ホース６ａ，６ｂのどちらにも流入しないようにすることができる。
【００６７】
上記吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、上記吸着用送風装置５５は、吸着用空気吸入口７ｂから吸い込まれ、加湿ロータ５１のうちの加熱装置５２と対向しない部分を通過し、ベルマウス６２の開口を通り、吸着用空気吹き出し口７ａから室外へ排出される空気の流れを生成する。
【００６８】
図２は上記加湿ユニット４の分解斜視図である。なお、図２において、加湿ユニットケーシング７の上部となる天板の図示を省略している。
【００６９】
上記加湿ユニット４内において、加湿運転時、矢印Ａ１１〜Ａ１３に沿って流れる空気流と、矢印Ａ２１〜Ａ２７に沿って流れる空気流とが生成される。
【００７０】
上記矢印Ａ１１に沿って流れる空気流は、吸着用空気吸入口７ｂから加湿ロータ５１を通過してベルマウス６２近傍へ向かう空気の流れである。この空気は、加湿ロータ５１のうちの加熱装置５２と対向しない部分を通過するが、この際、空気中の水分がその部分に吸着される。
【００７１】
上記矢印Ａ１３に沿って流れる空気流は、ベルマウス６２近傍からベルマウス６２で囲まれた空間を通って吸着ファン６１内に入る空気の流れである。
【００７２】
上記矢印Ａ１３に沿って流れる空気流は、吸着ファン６１から吹き出されて吸着用空気吹き出し口７ａに向かう空気の流れである。
【００７３】
上記矢印Ａ２１，Ａ２２に沿って流れる空気流は、吸排気口７ｃから加湿ロータ５１を通過して加熱装置５２に向かう空気の流れである。
【００７４】
上記矢印Ａ２３〜Ａ２５に沿って流れる空気流は、加熱装置５２に加熱された空気が加湿ロータ５１を通過して空気流路切換装置１００に向かう空気の流れである。この空気は、加湿ロータ５１のうちの加熱装置５２と対向する部分を通過するが、この際、その部分に吸着された水分が脱着される。
【００７５】
上記矢印Ａ２６，２７に沿って流れる空気流は、空気流路切換装置１００から加湿ファン装置５４を経由して再び空気流路切換装置１００に戻される空気の流れである。
【００７６】
図３は上記加湿ファン装置５４の分解斜視図である。
【００７７】
上記加湿ファン装置５４は、ファンケーシング７１と、このファンケーシング７１内に回転可能に配置された加湿ファン７２と、この加湿ファン７２を回転駆動する加湿用ファンモータ７３とを備えている。
【００７８】
上記加湿用ファンモータ７３は、ファンケーシング７１の上面にネジ７４で取り付けられる。このとき、上記加湿用ファンモータ７３の駆動軸が、ファンケーシング７１の上面に設けられた貫通孔７５に挿通される。
【００７９】
図４は上記空気流路切換装置１００の分解斜視図である。
【００８０】
上記空気流路切換装置１００は、上側ダンパケース１０１、ダンパ本体１０２、リミットスイッチ１０３、下側ダンパケース１０４、ダンパ駆動用モータ１０５およびダクト部１０６を備えている。なお、上記上側ダンパケース１０１および下側ダンパケース１０４はケーシングの一例で、ダンパ本体１０２は板状弁体の一例で、ダンパ駆動用モータ１０５は駆動装置の一例である。
【００８１】
上記上側ダンパケース１０１には、１つの大径の第１上側貫通孔１０７ａと、２つの小径の第２，第３上側貫通孔１０７ｂ，１０７ｃとが設けられている。加湿運転時には、加湿ロータ５１からの空気（図２の矢印Ａ２４，Ａ２５に沿って流れる空気）が大径の第１上側貫通孔１０７ａを通過すると共に、加湿ファン装置５４からの空気（図２の矢印Ａ２７に沿って流れる空気）が小径の第２，第３上側貫通孔１０７ｂ，１０７ｃを通過する（図２参照）。なお、上記第２，第３上側貫通孔１０７ｂ，１０７ｃは入口の一例である。
【００８２】
上記ダンパ本体１０２は、略円板状を呈し、上側ダンパケース１０１と下側ダンパケース１０４との間に回転可能に配置される。また、上記ダンパ本体１０２は、第２，第３上側貫通孔１０７ｂ，１０７ｃに対向可能な本体用貫通孔１０８を有する。そして、上記ダンパ本体１０２の外周面にはリミットスイッチ１０３に当接可能なストッパ部１０９が設けられている。なお、上記本体用貫通孔１０８は貫通孔の一例である。
【００８３】
上記下側ダンパケース１０４には、本体用貫通孔１０８に対向可能な２つの第１，第２下側貫通孔１１０ａ，１１０ｂと、リミットスイッチ１０３が取り付けられる取付部１１１と、ダンパ駆動用モータ１０５の駆動軸１１３が挿通される挿通孔１１２とが設けられている。なお、上記第１，第２下側貫通孔１１０ａ，１１０ｂは出口の一例である。
【００８４】
上記ダンパ駆動用モータ１０５はダンパ本体１０２を回転駆動する。このダンパ駆動用モータ１０５の駆動軸１１３はダンパ本体１０２の下側の表面の略中心に連結される。
【００８５】
上記ダクト部１０６は、ダンパ駆動用モータ１０５を収容する収容部１１４と、吸排気ホース６ａの室外機３側の端部に接続される第１接続口１１５ａと、吸排気ホース６ｂの室外機３側の端部に接続される第２接続口１１５ｂとを有する。
【００８６】
図５は上記ダンパ本体１０２の分解斜視図である。
【００８７】
上記ダンパ本体１０２は、略円板状の上側弁体１１６と、この上側弁体１１６に組み付けられる略容器状の下側弁体１１７とで構成されている。
【００８８】
上記上側弁体１１６の上側の表面は、空気圧を受ける受圧面１１８となっている。この受圧面１１８には、第２，第３上側貫通孔１０７ｂ，１０７ｃを閉鎖可能な略円板状の第１，第２上側閉鎖突起１１９ａ，１１９ｂが設けられている。また、上記上側弁体１１６の外周面には、略１２０°の位相間隔をあけて３つの係止突起１２０（図５では２つのみ図示）が設けられている。なお、上記第１，第２上側閉鎖突起１１９ａ，１１９ｂは入口側閉鎖突起の一例である。
【００８９】
また、上記本体用貫通孔１０８は上側弁体１１６に設けられている。また、上記本体用貫通孔１０８の周縁部は、上側弁体１１６の上側の表面から上側に突出する部分と、上側弁体１１６の下側の表面から下側に突出する部分とを含む（図７Ａ，図７Ｃ，図７Ｄ参照）。
【００９０】
上記下側弁体１１７は、略円板状の底部１２１と、この底部１２１の周縁部の全周に沿って設けられた筒部１２２とを含む。
【００９１】
上記底部１２１には、ダンパ駆動用モータ１０５の駆動軸１１３が嵌合する小径の第１貫通孔１２３ａと、本体用貫通孔１０８の周縁部の一部が挿入される大径の第２貫通孔１２３ｂとが設けられている。また、上記底部１２１の下側の表面には、第１，第２下側貫通孔１１０ａ，１１０ｂを閉鎖可能な略楕円板状の第１，第２下側閉鎖突起１２４ａ，１２４ｂが設けられている（図７Ａ，図７Ｂ，図７Ｃ参照）。この第１，第２下側閉鎖突起１２４ａ，１２４ｂは、径方向の長さよりも周方向の長さが長くなっている。また、上記第１，第２下側閉鎖突起１２４ａ，１２４ｂの径方向の長さは、第１，第２下側貫通孔１１０ａ，１１０ｂの径方向の長さ以上に設定されている。なお、上記第１，第２下側閉鎖突起１２４ａ，１２４ｂは出口側閉鎖突起の一例である。また、上記径方向とはダンパ本体１０２の回転中心から外方に向かう方向を意味し、上記周方向とはダンパ本体１０２の回転方向を意味する。
【００９２】
上記筒部１２２の内周面には、略１２０°の位相間隔をあけて３つの係止穴１２５（図５では２つのみ図示）が設けられている。この係止穴１２５には係止突起１２０が嵌合して係止される。このとき、上記筒部１２２の内周面は径方向において上側弁体１１６の外周面に対向し、かつ、第１上側閉鎖突起１１９ａは第１下側閉鎖突起１２４ａに重なり、かつ、第２上側閉鎖突起１１９ｂは第２下側閉鎖突起１２４ｂに重なる。
【００９３】
上記ストッパ部１０９は、筒部１２２の外周面に設けられており、平面視で略台形状を呈する。このストッパ部１０９がリミットスイッチ１０３に当接すると、第１下側閉鎖突起１２４ａが第１下側貫通孔１１０ａに重なり、かつ、第２下側閉鎖突起１２４ｂが第２下側貫通孔１１０ｂに重なる。すなわち、上記リミットスイッチ１０３にストッパ部１０９が当接した状態においては、加湿ファン装置５４からの空気は、空気流路切換装置１００を通過できず、第１，第２部屋１ａ，１ｂのどちらにも供給されない。
【００９４】
図６は上記下側ダンパケース１０４の概略平面図である。
【００９５】
上記下側ダンパケース１０４の上側の表面において、第１，第２下側貫通孔１１０ａ，１１０ｂの周縁部に第１，第２ケース側環状突起１２６ａ，１２６ｂが設けられている。この第１，第２ケース側環状突起１２６ａ，１２６ｂには第１，第２下側閉鎖突起１２４ａ，１２４ｂが静圧で押し付けられる。また、上記第１，第２ケース側環状突起１２６ａ，１２６ｂの内側は第１，第２下側閉鎖突起１２４ａ，１２４ｂで閉鎖可能である。また、上記第１，第２下側貫通孔１１０ａ，１１０ｂの周縁の形状は略真円形状となっている。なお、上記第１，第２ケース側環状突起１２６ａ，１２６ｂは弁座部の一例である。
【００９６】
また、上記下側ダンパケース１０４の上側の表面には環状の第１，第２リブ１２７ａ，１２７ｂが設けられている。この第１，第２リブ１２７ａ，１２７ｂによって、第１ケース側環状突起１２６ａが第１下側貫通孔１１０ａまたは第２下側貫通孔１１０ｂへ案内されたり、第２ケース側環状突起１２６ｂが第１下側貫通孔１１０ａまたは第２下側貫通孔１１０ｂへ案内されたりする。なお、上記第１，第２リブ１２７ａ，１２７ｂは案内部の一例である。
【００９７】
図７Ａは上記空気流路切換装置１００の概略断面図である。また、図７Ａ中の太矢印Ｂ１で示す箇所およびその周辺を拡大して図７Ｂに、図７Ａ中の太矢印Ｂ２で示す箇所およびその周辺を拡大して図７Ｃに、図７Ａ中の太矢印Ｂ３で示す箇所およびその周辺を拡大して図７Ｄにそれぞれ示す。
【００９８】
上記上側弁体１１６および下側弁体１１７は、図７Ａ〜図７Ｄに示すように、上側ダンパケース１０１に対して所定の隙間を有するように配置されている。これにより、上記加湿ファン装置５４が吹き出した空気は、第２，第３上側貫通孔１０７ｂ，１０７ｃを通って、上側ダンパケース１０１と下側ダンパケース１０４との間の空間に流入可能である。その結果、上記上側弁体１１６の受圧面１１８は、加湿ファン装置５４からの空気による空気圧を受けることができる。
【００９９】
また、上記上側弁体１１６および下側弁体１１７が図７Ａの状態である時、図７Ｂ，図７Ｃに示すように、第２下側閉鎖突起１２４ｂの周縁部１２８が第１ケース側環状突起１２６ａの上流側端面に密接する。すなわち、上記上側ダンパケース１０１と下側ダンパケース１０４との間の空間は第１下側貫通孔１１０ａと非連通となっている。これにより、上記上側ダンパケース１０１と下側ダンパケース１０４との間の空間に流入した空気が第１下側貫通孔１１０ａを通過するのを防ぐことができる。
【０１００】
一方、上記上側弁体１１６および下側弁体１１７が図７Ａの状態である時、図７Ｃ，図７Ｄに示すように、本体用貫通孔１０８が、第３上側貫通孔１０７ｃおよび第２下側貫通孔１１０ｂに対向する。これにより、上記加湿ファン装置５４が吹き出した空気は、第３上側貫通孔１０７ｃ、本体用貫通孔１０８および第２下側貫通孔１１０ｂを通過することができる。
【０１０１】
また、上記上側弁体１１６および下側弁体１１７が図７Ａの状態である時、図７Ｃ，図７Ｄに示すように、本体用貫通孔１０８の周縁部の一部である筒部１２９の下流側端面は、第２ケース側環状突起１２６ｂに接触しない。また、その時、上記第２貫通孔１２３ｂに周縁部に設けられた弁体側環状突起１３０は、第２ケース側環状突起１２６ｂの上流側端面に密接する。すなわち、上記上側ダンパケース１０１と下側ダンパケース１０４との間の空間は、本体用貫通孔１０８および第２下側貫通孔１１０ｂと非連通となっている。これにより、上記本体用貫通孔１０８に流入した空気を確実に第２下側貫通孔１１０ｂに流すことができる。
【０１０２】
上記筒部１２９は第２貫通孔１２３ｂ内に挿入されており、この筒部１２９の内周面の内側の空間が本体用貫通孔１０８となっている。また、上記筒部１２９の内周面の径は上流側から下流側に進むにつれて小さくなっている。すなわち、上記筒部１２９の内周面は円錐面となっている。
【０１０３】
上記構成の空気調和機１が第１部屋１ａのみを加湿する場合、空気流路切換装置１００は図７Ａ〜図７Ｄに示す状態にする。より詳しくは、上記ダンパ本体１０２をダンパ駆動用モータ１０５で回転駆動させて、第２上側貫通孔１０７ｂと第１下側貫通孔１１０ａとの間を第２上側閉鎖突起１１９ｂおよび第２下側閉鎖突起１２４ｂで閉鎖する。また、上記第３上側貫通孔１０７ｃと第２下側貫通孔１１０ｂとを本体用貫通孔１０８を介して互いに連通させる。
【０１０４】
その結果、上記加湿ファン装置５４から空気流路切換装置１００に向かって流れる空気は吸排気ホース６ａのみに供給されて、第１部屋１ａのみに流入する。
【０１０５】
また、図示しないが、上記第２部屋１ｂのみを加湿する場合、ダンパ本体１０２をダンパ駆動用モータ１０５で回転駆動させて、第２上側貫通孔１０７ｂと第１下側貫通孔１１０ａとを本体用貫通孔１０８を介して互いに連通させると共に、第３上側貫通孔１０７ｃと第２下側貫通孔１１０ｂとの間を第１上側閉鎖突起１１９ａおよび第１下側閉鎖突起１２４ａで閉鎖する。
【０１０６】
また、図示しないが、上記第１，第２部屋１ａ，１ｂのどちらも加湿しない場合、第２上側貫通孔１０７ｂと第１下側貫通孔１１０ａとの間を第１上側閉鎖突起１１９ａおよび第１下側閉鎖突起１２４ａで閉鎖すると共に、第３上側貫通孔１０７ｃと第２下側貫通孔１１０ｂとの間を第２上側閉鎖突起１１９ｂおよび第２下側閉鎖突起１２４ｂで閉鎖する。
【０１０７】
このように、上記ダンパ本体１０２を回転させることによって、加湿ロータ５１から脱着された水分を含む空気を、第１，第２部屋１ａ，１ｂの一方に選択的に供給したり、第１，第２部屋１ａ，１ｂの両方に供給しなかったりすることができる。
【０１０８】
また、上記ダンパ本体１０２を回転させて空気の供給の制御を行うので、空気流路切換装置１００の回転軸方向の長さが長くならず、空気流路切換装置１００および加湿ユニット４を小型化できる。
【０１０９】
また、上記ダンパ本体１０２の上側の表面には、第２，第３上側貫通孔１０７ｂ，１０７ｃを閉鎖可能な突起を設けているので、第２，第３上側貫通孔１０７ｂ，１０７ｃのシール性を向上させることができる。
【０１１０】
また、上記ダンパ本体１０２の下側の表面には、第１，第２ケース側環状突起１２６ａ，１２６ｂの内側を閉鎖可能な第１，第２下側閉鎖突起１２４ａ，１２４ｂが設けられているので、第１，第２下側貫通孔１１０ａ，１１０ｂのシール性を向上させることができる。
【０１１１】
また、上記第１，第２下側閉鎖突起１２４ａ，１２４ｂは第１，第２ケース側環状突起１２６ａ，１２６ｂに静圧で押し付けられるので、第１，第２下側貫通孔１１０ａ，１１０ｂのシール性をさらに向上させることができる。
【０１１２】
また、上記第１，第２下側閉鎖突起１２４ａ，１２４ｂは、径方向の長さよりも周方向の長さが長くなっているので、第１，第２ケース側環状突起１２６ａ，１２６ｂの内側の封鎖を確実に行うことができる。
【０１１３】
また、上記ダンパ本体１０２を回転させると、第１，第２リブ１２７ａ，１２７ｂは、第１下側閉鎖突起１２４ａを第１下側貫通孔１１０ａまたは第２下側貫通孔１１０ｂへ案内したり、第２下側閉鎖突起１２４ｂを第１下側貫通孔１１０ａまたは第２下側貫通孔１１０ｂへ案内したりするので、第１，第２下側閉鎖突起１２４ａ，１２４ｂによる第１，第２ケース側環状突起１２６ａ，１２６ｂの内側の封鎖を確実に行うことができる。
【０１１４】
また、上記ダンパ本体１０２の上側の表面には、空気圧を受ける受圧面１１８が設けられているので、ダンパ本体１０２を下側の表面を第１，第２ケース側環状突起１２６ａ，１２６ｂに強く押し付けることができる。
【０１１５】
上記第１実施形態において、第１，第２下側閉鎖突起１２４ａ，１２４ｂの下側の表面が湾曲面を含むようにしてもよい。このようにした場合、上記湾曲面が第１，第２ケース側環状突起１２６ａ，１２６ｂに線接触するようにすると、第１，第２ケース側環状突起１２６ａ，１２６ｂに対する第１，第２下側閉鎖突起１２４ａ，１２４ｂの移動が容易になり、第１，第２下側閉鎖突起１２４ａ，１２４ｂによる第１，第２ケース側環状突起１２６ａ，１２６ｂの内側の閉鎖を容易に解除することができる。
【０１１６】
また、上記第１，第２下側閉鎖突起１２４ａ，１２４ｂの下側の表面が湾曲面を含むようにした場合、第１，第２ケース側環状突起１２６ａ，１２６ｂに、上記湾曲面が面接触する面を設けてもよい。
【０１１７】
上記第１実施形態では、第１，第２下側閉鎖突起１２４ａ，１２４ｂで第１，第２下側貫通孔１１０ａ，１１０ｂを閉鎖していたが、板状弁体の表面に対して垂直な面で切った断面が略円弧状である表面を有する出口側閉鎖突起で第１，第２下側貫通孔１１０ａ，１１０ｂを閉鎖するようにしてもよい。
【０１１８】
上記第１実施形態では、下側ダンパケース１０４に、弁座部の一例である第１，第２ケース側環状突起１２６ａ，１２６ｂを設けていたが、例えば、上側ダンパケース１０１と下側ダンパケース１０４との間に配置した他の部材に、弁座部の一例である第１，第２ケース側環状突起を設けてもよい。あるいは、上記ダクト部１０６に、弁座部の一例である第１，第２ケース側環状突起を設けてもよい。
【０１１９】
［第２実施形態］
図８は、本発明の第２実施形態の空気流路切換装置２００の概略図断面図である。なお、図８において、図４，図７Ａ〜図７Ｄの第１実施形態の構成部と同一構成部は、図４，図７Ａ〜図７Ｄの構成部と同一参照番号を付して説明を省略する。
【０１２０】
上記空気流路切換装置２００は、上側ダンパケース１０１、ダンパ本体２０２、リミットスイッチ１０３、下側ダンパケース２０４およびダクト部１０６を備えている。また、図示しないが、上記空気流路切換装置２００は、ダンパ本体２０２を回転駆動するダンパ駆動用モータも備えている。なお、上記下側ダンパケース２０４はケーシングの一例で、ダンパ本体２０２は板状弁体の一例で、ダンパ駆動用モータは駆動装置の一例である。
【０１２１】
上記下側ダンパケース２０４は、本体用貫通孔２０８に対向可能な２つの第１，第２下側貫通孔２１０ａ，２１０ｂを有している。なお、上記第１，第２下側貫通孔２１０ａ，２１０ｂは出口の一例である。
【０１２２】
図９は上記ダンパ本体２０２の分解斜視図である。
【０１２３】
上記ダンパ本体２０２は、略円板状の上側弁体２１６と、この上側弁体２１６に組み付けられる略容器状の下側弁体２１７と、この下側弁体２１７の下側の表面において出没可能な第１，第２可動弁部２５１ａ，２５１ｂと、この第１，第２可動弁部２５１ａ，２５１ｂを突出する方向に付勢する第１，第２バネ２５２ａ，２５２ｂとを備える。
【０１２４】
上記上側弁体２１６は、第２，第３上側貫通孔１０７ｂ，１０７ｃに対向可能な本体用貫通孔２０８を有する。この本体用貫通孔２０８の周縁部は上側弁体２１６の下側の表面から下側に突出する（図８参照）。また、上記上側弁体２１６の上側の表面は、空気圧を受ける受圧面２１８となっている。この受圧面２１８には、第２，第３上側貫通孔１０７ｂ，１０７ｃを閉鎖可能な略円板状の第１，第２上側閉鎖突起２１９ａ，２１９ｂが設けられている。また、上記上側弁体２１６の外周面には、１２０°の位相で３つの係止爪２２０（図９では１つのみ図示）が設けられている。なお、上記本体用貫通孔２０８は貫通孔の一例である。また、上記第１，第２上側閉鎖突起２１９ａ，２１９ｂは入口側閉鎖突起の一例である。
【０１２５】
上記下側弁体２１７は、略円板状の底部２２１と、この底部２２１の周縁部の全周に沿って設けられた筒部２２２とを含む。
【０１２６】
上記底部２２１は、ダンパ駆動用モータの駆動軸が嵌合する小径の第１貫通孔２２３ａと、本体用貫通孔２０８の周縁部が嵌合する大径の第２貫通孔２２３ｂと、第１可動弁部２５１ａの下部が入る第３貫通孔２２３ｃと、第２可動弁部２５１ｂが入る第４貫通孔２２３ｄとを有する。また、上記底部２２１の上側の表面において、第２，第３，第４貫通孔２２３ｂ，２２３ｃ，２２３ｄの周縁部に環状突起２２８が設けられている。これにより、第２貫通孔２２３ｂに本体用貫通孔２０８を確実に重ねることできると共に、第３，第４貫通孔２２３ｄ内に第１，第２可動弁部２５１ａ，２５１ｂの下部を確実に入れることができる。
【０１２７】
上記筒部２２２の内周面には、１２０°の位相で３つの係止穴２２５（図８では２つのみ図示）が設けられている。この係止穴２２５には係止爪２２０の先端部が入って係止される。このとき、上記筒部２２２の内周面は上側弁体２１６の外周面に密接し、かつ、第２貫通孔２２３ｂに本体用貫通孔２０８が重なり、かつ、第１上側閉鎖突起２１９ａと第３貫通孔２２３ｃと間に第１可動弁部２５１ａおよび第１バネ２５２ａが位置し、かつ、第２上側閉鎖突起２１９ｂと第４貫通孔２２３ｄと間に第２可動弁部２５１ｂおよび第２バネ２５２ｂが位置する。
【０１２８】
また、上記筒部２２２の外周面には、上記第１実施形態のストッパ部と同じ目的で、平面視で略台形状のストッパ部２０９が設けられている。すなわち、上記ストッパ部２０９はリミットスイッチ１０３に当接可能であり、加湿ファン装置５４からの空気が第１，第２部屋１ａ，１ｂのどちらにも供給されない状態を検出するために設けられている。
【０１２９】
上記第１，第２可動弁部２５１ａ，２５１ｂは、第３，第４貫通孔２２３ｄの周縁部にバネの付勢力で押し付けられ、第３，第４貫通孔２２３ｃ，２２３ｄを閉鎖可能である。また、上記第１，第２可動弁部２５１ａ，２５１ｂの下側の表面は湾曲面を含む（図８参照）。また、上記第１，第２可動弁部２５１ａ，２５１ｂは、径方向の長さよりも周方向の長さが長くなっている。
【０１３０】
上記構成の空気流路切換装置２００によれば、上記第１実施形態の空気流路切換装置１００と同様に、加湿ロータ５１から脱着された水分を含む空気を、第１，第２部屋１ａ，１ｂの一方に選択的に供給したり、第１，第２部屋１ａ，１ｂの両方に供給しなかったりすることができる（図１参照）。
【０１３１】
また、上記第１，第２可動弁部２５１ａ，２５１ｂは、第１，第２下側貫通孔２１０ａ，２１０ｂを閉鎖するとき、第１，第２下側貫通孔２１０ａ，２１０ｂの周縁部に第１，第２バネ２５２ａ，２５２ｂの付勢力で押し付けられるので、第１，第２下側貫通孔２１０ａ，２１０ｂのシール性を向上させることができる。
【０１３２】
また、上記第１，第２可動弁部２５１ａ，２５１ｂの下側の表面は湾曲面を含むので、第１，第２下側貫通孔２１０ａ，２１０ｂに対する第１，第２可動弁部２５１ａ，２５１ｂの移動が容易になり、第１，第２可動弁部２５１ａ，２５１ｂによる第１，第２下側貫通孔２１０ａ，２１０ｂの閉鎖を容易に解除することができる。
【０１３３】
上記第２実施形態において、下側ダンパケース２０４の上側の表面に、上記第１実施形態の第１，第２リブ１２７ａ，１２７ｂや第１，第２ケース側環状突起１２６ａ，１２６ｂと同様のリブや環状突起を設けてもよい。
【０１３４】
上記第１，第２実施形態においては、入口の一例としての２つの貫通孔を設けていたが、１つまたは３つ以上の貫通孔を設けてもよい。
【０１３５】
上記第１，第２実施形態においては、出口の一例としての２つの貫通孔を設けていたが、３つ以上の貫通孔を設けてもよい。
【０１３６】
上記第１，第２実施形態では、本体用貫通孔１０８，２０８の数は１つであったが、本体用貫通孔１０８，２０８と同様の貫通孔を少なくとも１つも設けてもよい。すなわち、上記第１，第２実施形態において、複数の本体用貫通孔を設けてもよい。このように、上記複数の本体用貫通孔を設けた場合、複数の部屋を同時に加湿することができる。
【０１３７】
本発明の切換ユニットは、上記第１，第２実施形態のように空気の供給の制御に用いたり、空気以外の他の流体（例えば水）の供給の制御にも用いることができる。
【０１３８】
本発明の切換ユニットは、上記第１，第２実施形態のように、壁掛け型の室内機を有する空気調和機に用いてもよいし、壁掛け型以外の室内機を有する空気調和機に用いてもよい。この壁掛け型以外の室内機としては、例えば、床置き型、天井埋込カセット型、天吊型等の室内機がある。
【図面の簡単な説明】
【０１３９】
【図１】図１は本発明の第１実施形態の空気調和機の構成図である。
【図２】図２は本発明の第１実施形態の加湿ユニットの分解斜視図である。
【図３】図３は本発明の第１実施形態の加湿ファン装置の分解斜視図である。
【図４】図４は本発明の第１実施形態の空気流路切換装置の分解斜視図である。
【図５】図５は本発明の第１実施形態のダンパ本体の分解斜視図である。
【図６】図６は本発明の第１実施形態の下側ダンパケースの概略平面図である。
【図７Ａ】図７Ａは本発明の第１実施形態の空気流路切換装置の概略断面図である。
【図７Ｂ】図７Ｂは図７Ａ中の太矢印Ｂ１で示す箇所およびその周辺の拡大図である。
【図７Ｃ】図７Ｃは図７Ａ中の太矢印Ｂ２で示す箇所およびその周辺の拡大図である。
【図７Ｄ】図７Ｄは図７Ａ中の太矢印Ｂ３で示す箇所およびその周辺の拡大図である。
【図８】図８は本発明の第２実施形態の空気流路切換装置の概略断面図である。
【図９】図９は本発明の第２実施形態のダンパ本体の分解斜視図である。
【符号の説明】
【０１４０】
６  加湿ユニット本体
１００，２００  空気流路切換装置
１０１  上側ダンパケース
１０４，２０４  下側ダンパケース
１０２，２０２  ダンパ本体
１０５  ダンパ駆動用モータ
１０７ｂ  第２上側貫通孔
１０７ｃ  第３上側貫通孔
１０８，２０８  本体用貫通孔
１１０ａ，２１０ａ  第１下側貫通孔
１１０ｂ，２１０ｂ  第２下側貫通孔
１１８，２１８  受圧面
１１９ａ，２１９ｂ  第１上側閉鎖突起
１１９ｂ，２１９ｂ  第２上側閉鎖突起
１２６ａ  第１ケース側環状突起
１２６ｂ  第２ケース側環状突起
１２４ａ  第１下側閉鎖突起
１２４ｂ  第２下側閉鎖突起
１２７ａ  第１リブ
１２７ｂ  第２リブ
２５１ａ  第１可動弁部
２５１ｂ  第２可動弁部
２５２ａ  第１バネ
２５２ｂ  第２バネ
【図１】
2010144971.tif 000003
【図２】
2010144971.tif 000004
【図３】
2010144971.tif 000005
【図４】
2010144971.tif 000006
【図５】
2010144971.tif 000007
【図６】
2010144971.tif 000008
【図７Ａ】
2010144971.tif 000009
【図７Ｂ】
2010144971.tif 000010
【図７Ｃ】
2010144971.tif 000011
【図７Ｄ】
2010144971.tif 000012
【図８】
2010144971.tif 000013
【図９】
2010144971.tif 000014